(57)【要約】【課題】簡単な構成で回動アームを任意の角度に調整可能とし、また、回動アームの角度調整を前後何れの方向からでも行なえるようにする。【解決手段】建物の上枠２に固定される基部４と、基部４の一端部に基部４に対して鉛直方向に向く軸５の回りで一端側が回動自在に連結される回動アーム６と、回動アーム６を上枠２から前方に突出する方向に付勢するコイルばね８と、回動アーム６の他端部に鉛直方向に向く軸の回りで回動自在に設けられたローラー１２とから構成されて観音開き式の２枚の扉１９，２０の閉鎖順位を調整する扉閉鎖順位調整器１であって、基部４の一端部における内面にブラケット９を取り付け、ブラケット９に角度調整ねじ１０を螺入させて設け、回動アーム６が上枠２から前方に突出した状態において角度調整ねじ１０の頭部１０ａに回動アーム６の一端側に内蔵して取り付けられたレバーブロック７の先端部７ａが当接するように構成した。【選択図】　　　　図６
2004143865.tif 000002
【特許請求の範囲】
【請求項１】
建物の上枠に固定される基部と、この基部の一端部に基部に対して鉛直方向に向く軸の回りで一端側が回動自在に連結される回動アームと、この回動アームを上枠から前方に突出する方向に付勢するコイルばねと、回動アームの他端部に鉛直方向に向く軸の回りで回動自在に設けられたローラーとから構成されて観音開き式の２枚の扉の閉鎖順位を調整する扉閉鎖順位調整器であって、基部の一端部における内面に角度調整ねじ取り付け部材を取り付け、この角度調整ねじ取り付け部材の雌ねじ部に角度調整ねじを螺入させて設け、回動アームが上枠から前方に突出した状態において角度調整ねじの頭部に回動アームの一端側が当接するように構成したことを特徴とする扉閉鎖順位調整器。
【請求項２】
回動アームの一端側に内蔵してレバーブロックが取り付けられ、回動アームが上枠から前方に突出した状態において角度調整ねじの頭部に前記レバーブロックの先端部が当接するように構成したことを特徴とする請求項１記載の扉閉鎖順位調整器。
【請求項３】
角度調整ねじ取り付け部材の雌ねじ部に頭部が前方に向くように角度調整ねじが螺入しており、角度調整ねじの前方に向く頭部および角度調整ねじの後方に向く先端部に調整治具係合用の溝が形成され、コイルばねのばね力に抗して回動アームを倒した状態において基部の前方が開放されて角度調整ねじの頭部が露出されるように構成され、さらに角度調整ねじの位置で基部の後板部に孔部が形成されていることを特徴とする請求項１または２記載の扉閉鎖順位調整器。
【発明の詳細な説明】
【０００１】
【発明の属する技術分野】
本発明は、観音開き式の２枚の扉において、一方の扉に対して他方の扉の閉鎖状態への動きの順番を遅らせるようにした扉閉鎖順位調整器に関するものである。
【０００２】
【従来の技術】
従来からこの種扉閉鎖順位調整器としては、例えば実用新案登録第２５７２６５０号公報で知られているものがある。この公報に記載の扉閉鎖順位調整器は、二枚一組の開閉扉を順序よく閉鎖する扉閉鎖順位調整器であって、該扉閉鎖順位調整器は取付部材と、該取付部材にアーム軸により枢支され、水平方向に移動する回動アームにより構成し、後に閉まる扉の対向位置に当接すべく回動アームを突設し、該回動アームの後端部が取付部材内に位置する部分に係止部を設け、該係止部が接当する角度調整コマを同じく取付部材の内部に配置し、該角度調整コマに角度調整ネジを螺装し、前記角度調整ネジを回すことにより角度調整コマを移動させ、該角度調整コマと回動アームの後端部に設けた係止部との接点が移動することにより、該回動アームを任意の角度に調整可能とし、該角度調整ネジの頭部を、前記取付部材における開閉扉の開閉方向側に位置させたものである。
【０００３】
かかる構成の扉閉鎖順位調整器によれば、先に閉まる扉と、後に閉まる扉よりなる二枚一組の開閉扉が閉鎖されるときに後に閉まる扉が適宜の角度に設定された回動アームの先端部に当接して規制され、先に閉まる扉が先に閉まって行き、該先に閉まる扉の先端部が回動アームの側面を押圧しながら閉まって行くと同時に、前記回動アームが後に閉まる扉の内側を摺動し、回動アームが閉鎖方向へ回動して後に閉まる扉が規制されながら閉まっていくようになっている。
【０００４】
【特許文献１】
実用新案登録第２５７２６５０号公報
【０００５】
【発明が解決しようとする課題】
しかしながら、上記実用新案登録第２５７２６５０号公報に記載の扉閉鎖順位調整器は、回動アームの係止部が角度調整コマに接当するように構成され、角度調整コマに螺装した角度調整ネジを回すことにより角度調整コマを移動させて回動アームの係止部との接点を移動させ、回動アームを任意の角度に調整可能としてあるが、回動アームの係止部に接当する角度調整コマ、この角度調整コマを移動させる角度調整ネジが必要であり、構成が複雑で、コストアップになるという問題があった。また、回動アームを任意の角度に調整する作業は開閉扉の開閉方向側、つまり前方からしか行なうことができないという問題があった。
【０００６】
本発明はこのような課題を解決するもので、簡単な構成で回動アームを任意の角度に調整可能とし、また、回動アームの角度調整を前後何れの方向からでも行なえるようにした安価な扉閉鎖順位調整器を提供することを目的とするものである。
【０００７】
【課題を解決するための手段】
この課題を解決するために本発明は、建物の上枠に固定される基部と、この基部の一端部に基部に対して鉛直方向に向く軸の回りで一端側が回動自在に連結される回動アームと、この回動アームを上枠から前方に突出する方向に付勢するコイルばねと、回動アームの他端部に鉛直方向に向く軸の回りで回動自在に設けられたローラーとから構成されて観音開き式の２枚の扉の閉鎖順位を調整する扉閉鎖順位調整器であって、基部の一端部における内面に角度調整ねじ取り付け部材を取り付け、この角度調整ねじ取り付け部材の雌ねじ部に角度調整ねじを螺入させて設け、回動アームが上枠から前方に突出した状態において角度調整ねじの頭部に回動アームの一端側が当接するように構成したことを要旨とするものである。また本発明は、回動アームの一端側に内蔵してレバーブロックが取り付けられ、回動アームが上枠から前方に突出した状態において角度調整ねじの頭部に前記レバーブロックの先端部が当接するように構成したことを要旨とするものである。さらに本発明は、角度調整ねじ取り付け部材の雌ねじ部に頭部が前方に向くように角度調整ねじが螺入しており、角度調整ねじの前方に向く頭部および角度調整ねじの後方に向く先端部に調整治具係合用の溝が形成され、コイルばねのばね力に抗して回動アームを倒した状態において基部の前方が開放されて角度調整ねじの頭部が露出されるように構成され、さらに角度調整ねじの位置で基部の後板部に孔部が形成されていることを要旨とするものである。
【０００８】
この構成により、前記従来例で述べたような角度調整コマが不要となり、部品点数を削減できることにより簡単な構成となり、安価な扉閉鎖順位調整器を提供することができる。また、回動アームの角度調整作業は角度調整ねじの前方に向く頭部および角度調整ねじの後方に向く先端部に形成されている調整治具係合用の溝の何れかに調整治具を係合させることにより、前後何れの方向からでも行なうことができる。
【０００９】
【発明の実施の形態】
以下、本発明の一実施の形態について、図面に基づいて説明する。
図１〜図８において、扉閉鎖順位調整器１は建物の上枠２にビス３止めにより固定される基部４と、この基部４の一端部に基部４に対して鉛直方向に向く軸５の回りで一端側が回動自在に連結される回動アーム６と、この回動アーム６を上枠２から前方に突出する方向に付勢すべく前記軸５に外嵌し一端が基部４の一端部における後板部４ａ内面側に当接するとともに他端が回動アーム６の一端側に内蔵されたレバーブロック７に当接するコイルばね８と、回動アーム６の突出状態での角度を決めるために基部４の一端部における後板部４ａ内面にブラケット９を介して取り付けられ頭部１０ａがレバーブロック７の先端部７ａに当接するように設けられた角度調整ねじ１０と、前記回動アーム６の他端部に鉛直方向に向く軸１１の回りで回動自在に設けられた弾性を有する合成樹脂からなるローラー１２とから構成されている。
【００１０】
さらに詳しくは、前記ブラケット９は板材を折り曲げて成形されて基部４の一端部における後板部４ａ内面にビス１３により固定され、このブラケット９に溶接にて取り付けたブロック状の雌ねじ部材１４の雌ねじ部１４ａおよびこの雌ねじ部材１４の雌ねじ部１４ａに連続するようにブラケット９に形成された雌ねじ部９ａに角度調整ねじ１０の頭部１０ａが前方に向くように螺入している。なお、この角度調整ねじ１０の操作は角度調整ねじ１０の前方に向く頭部１０ａの−溝１０ａ’または角度調整ねじ１０の後方に向く先端部１０ｂの−溝１０ｂ’に調整治具を係合させて行なえるようになっている。このような角度調整ねじ１０の操作を行なうためにコイルばね８のばね力に抗して回動アーム６を倒すことにより基部４の前方を開放させて角度調整ねじ１０の頭部１０ａが露出されるように構成されるようになっているとともに、角度調整ねじ１０の位置で基部４の後板部４ａに孔部４ｂが形成されている。また、前記レバーブロック７は回動アーム６の一端側に内蔵され、回動アーム６に対して２個所でピン１５により固定されている。そして、前記コイルばね８の一端は前記ブラケット９のビス１３止め部に当接するとともに、他端はレバーブロック７の底面における凹部７ｂの壁面７ｃに当接して回動アーム６を上枠２から前方に突出する方向に付勢するように構成されている。さらに、前記レバーブロック７の前面には雌ねじ部７ｄが形成され、この雌ねじ部７ｄに頭部１６ａがレバーブロック７の前方に突出するようにねじ１６が螺入している。１７はこのねじ１６の頭部１６ａに前方から当接するようにレバーブロック７にねじ１８により取り付けられた合成樹脂製のシート状カバーである。
【００１１】
上記構成の扉閉鎖順位調整器１は前述のように基部４が建物の上枠２にビス３止めにより固定され、この状態において回動アーム６はコイルばね８により上枠２から前方に突出する。観音開き式の扉において、先閉まり側の一方の扉１９に対して後閉まり側の他方の扉２０が先に閉じようとしたときに他方の扉２０の目板２０ａ側の端部内面が回動アーム６の他端部のローラー１２に当接し、他方の扉２０側に設けたドアークローザーなどの扉自動閉鎖装置により閉鎖方向の力が他方の扉２０に働いても他方の扉２０の閉動は一旦止められる。つまり、回動アーム６が突っ張り棒的な働きをして回動アーム６を押し倒さない限り他方の扉２０は途中で一旦止められた状態となる。その状態で一方の扉１９が閉じて他方の扉２０の目板２０ａ側の端部内面と回動アーム６の他端部のローラー１２との当接部を越えると、一方の扉１９の目板１９ａ先端が前記回動アーム６の前面に当接して一方の扉１９側に設けたドアークローザーなどの扉自動閉鎖装置により閉鎖方向の力によって一方の扉１９から回動アーム６にコイルばね８の付勢力に抗して回動アーム６を基部４と一直線状（１８０度）になるように回動させる方向に力を伝達する。これにより他方の扉２０は回動アーム６による突っ張り力が解除されて、一方の扉１９の後から他方の扉２０が閉じて、最終的に図７に示すような閉扉状態となる。
【００１２】
ところで、基部４に対する回動アーム６の突出角度は扉の大きさなどにより異なり、他方の扉２０が閉動して回動アーム６の他端部のローラー１２に当接した状態において他方の扉２０の内面に対して９０度（直角）でなければならない。そのような角度調整を行なうために前述のように本実施の形態ではブラケット９の雌ねじ部９ａおよびこの雌ねじ部９ａに連続する雌ねじ部材１４の雌ねじ部１４ａに角度調整ねじ１０を螺入しており、ブラケット９の雌ねじ部９ａおよびこの雌ねじ部９ａに連続する雌ねじ部材１４の雌ねじ部１４ａに対する角度調整ねじ１０の螺入量を頭部１０ａの−溝１０ａ’または先端部１０ｂの−溝１０ｂ’に調整治具を係合させ角度調整ねじ１０を回して調整することにより頭部１０ａの位置が定まり、回動アーム６の一端側に内蔵されたレバーブロック７の先端部７ａを角度調整ねじ１０の頭部１０ａに正確な角度で当接させることができる。この角度調整作業は角度調整ねじ１０の前方に向く頭部１０ａおよび角度調整ねじ１０の後方に向く先端部１０ｂに形成されている調整治具係合用の−溝１０ａ’および１０ｂ’の何れかに調整治具を係合させることにより、前後何れの方向からでも行なうことができる。
【００１３】
さらに、本実施の形態では前述のようにレバーブロック７の前方に突出するように設けたねじ１６の頭部１６ａを前方からシート状カバー１７で覆っており、ねじ１６はレバーブロック７からの突出量が調整され前記先閉まり側の一方の扉１９が閉じた状態において一方の扉１９の目板１９ａ内面にシート状カバー１７を介して頭部１６ａを当接させることができる。このように一方の扉１９が閉じた状態において一方の扉１９の目板１９ａ内面にシート状カバー１７を介してねじ１６の頭部１６ａが当接することにより回動アーム６は前記基部４に対して一直線状（１８０度）となり、後閉まり側の他方の扉２０が閉じた状態においても回動アーム６の他端部のローラー１２は他方の扉２０の内面に当たることはない。従って、一方の扉１９が閉じたままで他方の扉２０のみが開閉する場合、回動アーム６は一方の扉１９で支持されるので揺動することがなく、他方の扉２０の開動に伴う回動アーム６と一方の扉１９との衝突による衝突音の発生を防止できるものである。
【００１４】
なお、以上述べた実施の形態の扉閉鎖順位調整器１では回動アーム６の一端側に内蔵されたレバーブロック７の先端部７ａが角度調整ねじ１０の頭部１０ａに当接するようになっているが、レバーブロック７を設けずに、回動アーム６の一端側の板部を一部延長させて、この板部の先端を角度調整ねじ１０の頭部１０ａに直接当接させるようにしても良い。また、ブラケット９および雌ねじ部材１４の２つの部品からなる角度調整ねじ取り付け部材に角度調整ねじ１０を螺入させているが、角度調整ねじ取り付け部材の具体的構成は図面に示すものに限定されるものではなく、要は角度調整ねじ１０を螺入させて取り付ける機能を備えておれば良い。
【００１５】
【発明の効果】
以上のように本発明によれば、前記従来例で述べたような角度調整コマが不要となり、部品点数を削減できることにより簡単な構成となり、安価な扉閉鎖順位調整器を提供することができる。また、回動アームの角度調整作業は角度調整ねじの前方に向く頭部および角度調整ねじの後方に向く先端部に形成されている調整治具係合用の溝の何れかに調整治具を係合させることにより、前後何れの方向からでも行なうことができる。
【図面の簡単な説明】
【図１】本発明の一実施の形態における扉閉鎖順位調整器の分解斜視図である。
【図２】同扉閉鎖順位調整器に内蔵されるレバーブロックの後方から見た斜視図である。
【図３】同扉閉鎖順位調整器の前方から見た斜視図である。
【図４】同扉閉鎖順位調整器の前方から見た一部切り欠き斜視図である。
【図５】同扉閉鎖順位調整器の後方から見た斜視図である。
【図６】同扉閉鎖順位調整器の使用状態において２枚の扉が閉じる途中の状態を示す一部切り欠き平面図である。
【図７】同扉閉鎖順位調整器の使用状態において２枚の扉が閉じた状態を示す平面図である。
【図８】同扉閉鎖順位調整器の使用状態において扉閉鎖順位調整器を角度調整した状態を示す平面図である。
【符号の説明】
１　　　　扉閉鎖順位調整器
２　　　　上枠
４　　　　基部
４ａ　　　後板部
４ｂ　　　孔部
５　　　　軸
６　　　　回動アーム
７　　　　レバーブロック
７ａ　　　先端部
７ｄ　　　雌ねじ部
８　　　　コイルばね
９　　　　ブラケット
９ａ　　　雌ねじ部
１０　　　　角度調整ねじ
１０ａ　　　頭部
１０ａ’　　−溝
１０ｂ　　　先端部
１０ｂ’　　−溝
１１　　　　軸
１２　　　　ローラー
１４　　　　雌ねじ部材
１４ａ　　　雌ねじ部
１６　　　　ねじ
１６ａ　　　頭部
１７　　　　シート状カバー
１９　　　　先閉まり側の一方の扉
１９ａ　　　目板
２０　　　　後閉まり側の他方の扉
２０ａ　　　目板
【図１】
2004143865.tif 000003
【図２】
2004143865.tif 000004
【図３】
2004143865.tif 000005
【図４】
2004143865.tif 000006
【図５】
2004143865.tif 000007
【図６】
2004143865.tif 000008
【図７】
2004143865.tif 000009
【図８】
2004143865.tif 000010